【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】  信号を受信するための入力、
前記受信信号に対して第１のゲインを与えるゲイン制御手段、
前記受信信号に対して相対的に高い第２のゲインを提供する第１の経路手段、
前記受信信号に対して相対的に低い第３のゲインを提供する第２の経路手段、
信号を送信する送信手段、
制御相対的に高いゲインが前記受信信号に与えられるときには前記受信信号が制御手段及び前記第１の経路手段を通過するようにさせ且つ相対的に低いゲインが前記受信信号に与えられるときには前記受信信号が前記制御手段及び前記第２の経路手段を通過するように、使用中に、動作可能な制御手段であって、前記第１及び第２の経路手段の内の１つの使用から前記第１及び第２の経路手段の他の１つの使用への変化があったときには送信機によって送信される信号のパワーが予め決められた量に対して少なく又は等しくなるように変化し、及び
前記送信手段による信号送信のパワーレベルの値を表示する値を提供する測定手段であって、信号が前記第２の経路手段を通過し且つ前記制御手段のゲインが予め決められたゲインレベルに設定されたときに前記測定手段は基準ゲイン値を提供し、前記測定手段が前記基準ゲイン値を提供し且つ信号が前記第１の経路手段を通過したときに前記制御手段は受信信号を前記第２の経路手段を通過するようにさせる、
を有することを特徴とする送信機。
【請求項２】  前記制御手段のゲインは変更可能である請求項１に記載の送信機。
【請求項３】  前記第１と第２の経路手段の間で変化があったとき、前記制御手段は前記送信手段による信号送信のパワーを実質的に同一に留めるように構成されている請求項１又は２に記載の送信機。
【請求項４】  前記予め決められたゲインレベルは前記制御手段の最大ゲインである請求項１に記載の送信機。
【請求項５】  前記制御手段の前記最大ゲインは、送信機の動作モードに応答して変化する請求項４に記載の送信機。
【請求項６】  前記予め決められたゲインレベルは、送信機の動作モードに応答して変化する請求項１に記載の送信機。
【請求項７】  動作モードに応じて、送信に先立って前記第１又は第２の経路手段が選択される請求項１に記載の送信機。
【請求項８】  受信信号が前記第２の経路手段を通過するように前記変化が起こったとき、前記制御手段のゲインは前記予め決められたゲインレベルに設定される請求項１〜７のいずれか一項に記載の送信機。
【請求項９】  前記測定手段が予め決められた値を提供し且つ受信信号が前記第２の経路手段を通過したとき、前記制御手段は受信信号が前記第１の経路手段を通過するようにさせる請求項１〜８のいずれか一項に記載の送信機。
【請求項１０】  信号が前記第１の経路手段を通過し且つ前記測定手段が前記予め決められた値を提供したとき、対応するゲイン値は基準ゲイン値を規定する請求項９に記載の送信機。
【請求項１１】  前記制御手段が受信信号を前記第１の経路手段に変化させたときには前記制御手段のゲインは前記基準ゲイン値に設定される請求項１０に記載の送信機。
【請求項１２】  前記測定手段の前記予め決められた値は前記測定手段の前記基準ゲイン値と同一である請求項９〜１１のいずれか一項に記載の送信機。
【請求項１３】  前記制御手段が実質的に前記第１の経路手段から前記第２の経路手段に変化させたとき、前記第１の経路手段を通過した受信信号をして前記測定手段において前記予め決められた値を提供させる前記制御手段の前記ゲイン値は、新しい基準ゲイン値として記憶される請求項８〜１２のいずれか一項に記載の送信機。
【請求項１４】  前記制御手段が実質的に前記第２の経路手段から前記第１の経路手段へ変化させたとき、前記制御手段のゲインが前記予め決められたレベルであるとき、第２の経路手段を通過した受信信号によって発生した前記測定手段の前記値は、新しい基準ゲイン値として記憶される請求項１〜１３のいずれか一項に記載の送信機。
【請求項１５】  さらに前記送信機は温度センサを有し、前記制御手段は温度変化に対して前記基準ゲイン値を補償するように構成されている請求項１０〜１４のいずれか一項に記載の送信機。
【請求項１６】  さらに前記送信機は温度センサを有し、前記制御手段は温度変化に対する前記測定手段の前記基準ゲイン値を補償するように構成されている請求項１〜１５のいずれか一項に記載の送信機。
【請求項１７】  前記第１及び／又は第２の経路手段のゲインは実質的に一定である請求項１〜１６のいずれか一項に記載の送信機。
【請求項１８】  前記第１と第２の経路手段との間で変化があったとき、前記送信手段による信号送信のパワーレベルは、前記予め決められた量によって増加又は減少する請求項１〜１７に記載の送信機。
【請求項１９】  前記第１の経路手段は増幅手段を有する請求項１〜１８に記載の送信機。
【請求項２０】  さらに前記増幅手段に先立って受信信号を事前に歪ませるための事前歪ませ手段有し、そこで、前記事前歪ませ手段は実質的に前記増幅手段の非線形性を補償するように構成され、前記制御手段は、前記送信手段によって送信される信号のパワーレベルが予め決められたレベルより低い場合には信号が前記事前歪ませ手段を通過しないようにし、及び前記送信手段によって送信される信号のパワーレベルが予め決められたレベルより高い場合には信号が前記事前歪ませ手段を通過するように構成されている請求項１９に記載の送信機。
【請求項２１】  さらに前記増幅手段に与えられるバイアスを制御するためのバイアス制御手段を有し、そこで、前記送信手段によって送信される信号のパワーレベルが予め決められたレベルより高い場合には次に前記増幅手段が前記バイアス制御手段によって非線形に動作するように制御される請求項２０に記載の送信機。
【請求項２２】  前記送信機によって送信される信号のパワーレベルが予め決められたレベルより低いとき、前記増幅手段は前記バイアス制御手段によって実質的に線形に動作するように制御される請求項２１に記載の送信機。
【請求項２３】  前記第１の経路は、直列の接続された複数の増幅器を有し、前記第２の経路は前記複数の増幅器のうちの少なくとも１つをバイパスする請求項１〜２２のいずれか一項に記載の送信機。
【請求項２４】  前記基準ゲイン値は、値の範囲を有し、そこでパワーレベル間でスイッチングが発生したとき、ヒステリシスが発生する請求項１〜２３のいずれか一項に記載の送信機。
【請求項２５】  前記値の範囲は、端末の動作モードに応じて変化する請求項２４記載の送信機。
【請求項２６】  前記送信される信号は会話信号又はデータ信号又は会話とデータ信号との組み合わせから構成される請求項１〜２５のいずれか一項に記載の送信機。
【請求項２７】  前記送信される信号が会話信号から構成されるとき、前記送信される信号のパワーレベルは相対的に低い請求項２６に記載の送信機。
【請求項２８】  送信される信号がデータ信号又は会話とデータ信号との組み合わせであるとき、送信される信号のパワーレベルは相対的に高い請求項２７に記載の送信機。
【請求項２９】  移動局に組み込まれている請求項１〜２８に記載の送信機。
【請求項３０】  入力信号を受取り、
前記入力信号に第１のゲインを与え、
相対的に高いゲインの信号が要求されているとき相対的に高い第２のゲインを提供する第１の経路を受信した信号が通過するようにさせ且つ相対的に低いゲインの信号が要求されているとき相対的に低い第３のゲインを提供する第２の経路を受信した信号が通過するようさせ、
信号送信のパワーレベルの値を表示する値を提供し、
信号が前記第２の経路手段を通過し且つ前記第１のゲインが予め定められた値に設定されたときに基準ゲイン値を提供し、
前記第１及び第２の経路手段のうちの１つの使用から前記第１及び第２の経路手段の他の１つの使用へ変化したとき、予め決められた量より少なく又は等しくなるように、送信される信号のパワーが変化するように、前記入力信号に与えられたゲインを制御し、前記基準ゲイン値が提供され且つ信号が前記第１の経路手段を通過するときに信号が前記第２の経路手段を通過するようにさせる、
工程を有することを特徴とする送信信号のゲイン制御方法。
【手続補正２】
【補正対象書類名】明細書
【補正対象項目名】００１０
【補正方法】変更
【補正の内容】
【００１０】
図２に示される構成を参照する。図２は、ＴＤＭＡ移動局に使用され、米国特許５，１５２，００４に開示された、送信機１９を示している。図２に示される構成において、送信され且つ無線周波数である信号が、パワー分割器２０に入力される。パワー分割器２０は、信号を２つの部分に分割する。信号の１つの部分は、増幅器２２に入力され、その間に信号の他の部分は減衰器２４に入力される。高いパワーの送信信号が要求されたとき、信号はパワー増幅器２２で増幅され、アンテナ２に出力される。しかしながら、送信される信号が低いパワーを有するとき、パワー増幅器２２は使用されず、低いパワー信号を供給するために信号は減衰器２４のみを通過する。低いパワー信号は、減衰器２４によってアンテナ２へ出力される。パワー消費が減少している間、図２に示される送信機１９は、パワー増幅器２２を使用する経路から減衰器２４を使用する経路への変化がなされたとき、出力パワーレベルが常にスムーズな転送を有しないという不利益を有する。これは、米国特許５，１５２，００４の構成が、パワー増幅器と減衰器の経路の変化が生じたときに正確且つスムーズなパワー制御を提供することができる回路を有していないからである。これは、送信される信号のパワー制御における不利益である不調（ｇｌｉｔｃｈｅｓ）（不正確）を引き起こす。
【手続補正３】
【補正対象書類名】明細書
【補正対象項目名】００６５
【補正方法】変更
【補正の内容】
【００６５】
パワー増幅モジュール３２''が図４のものによって置き換えられた場合、所望のパワーレベルが与えられたレベル以下に落ちたとき事前歪ませ器６６はオフされる。これは、すべての増幅器がバイパスされたとき、２つの増幅器がバイパスされたとき、又は３つのうちの１つがバイパスされたときでさえ可能である。
バイパス経路７６と第３の増幅器７２を通る経路との間のスイッチングは、第１及び第２の実施形態との関連で記載したものと同様の方法で制御されることができる。図５及び図６に示される実施形態の１つの修正例において、バイパス経路７６が使用され且つゲイン制御回路２６のゲインが与えられたレベル以下に落ちたときにのみ、事前歪ませ回路６４はオフされる。
【手続補正４】
【補正対象書類名】明細書
【補正対象項目名】００７０
【補正方法】変更
【補正の内容】
【００７０】
図７及び図８に示される実施形態の１つの修正例において、バイアス制御回路９４は存在しない。この修正例において、ゲイン制御ブロックからの信号がパワー増幅モジュール３２''' を通過したとき、事前歪ませ器６６のみが使用される。ゲイン制御ブロックからの信号がパワー増幅器モジュール３２'''へのバイパス経路３４を通過したとき、事前歪ませ器６６はバイパスされる。